(57)【特許請求の範囲】
【請求項１】
平行に張設した一対のエンドレスチェーンに、その側方に向かって突出する平プレート取付部材を所定の間隔をあけて多数設け、該取付部材を介して多数の平プレートを該一対のチェーン間に掛け渡して取付けてなるプレート式フィードコンベアにおけるプレート取付構造において、
該取付部材に貫通孔を形成する一方、
該平プレートの裏面両側部に、該貫通孔に嵌合する軸部と、一端部が該軸部に対して近接・隔離する方向に弾性変形して揺動自在な自由端として形成されるとともに他端部が該平プレートの裏面に一体的に連結固定されて基部として形成される断面略Ｕ字形の可撓片とを設け、
該自由端の先端と該平プレートの裏面との間は該取付部材の先端部の肉厚に相当する間隔だけ分離して形成し、
該平プレートの該軸部を該取付部材の該貫通孔に挿通して取り付ける際に、該可撓片の該一端部の自由端が該取付部材の端部によって該軸部から隔離する方向に弾性変形されて該平プレートの挿入を許容し、該平プレートの挿入の完了と同時に該一端部の自由端が弾性復帰して該取付部材の前記先端部の裏面に当接または近接して該平プレートの離脱を阻止してなることを特徴とするプレート式フィードコンベアにおけるプレート取付構造。
【発明の詳細な説明】
【０００１】
【発明の属する技術分野】
本発明は、平行に張設された一対のエンドレスチェーン間に多数の平プレートを平行に順次掛け渡し、これらの平プレート上に物品を載置して搬送するプレート式フィードコンベアにおける平プレートの取付構造の改良に関する。
【０００２】
【従来の技術】
一般に、プレート式フィードコンベアは図４及び図５に示す如く、機枠１に所定間隔あけて回転自在に設けられた複数のスプロケット２に巻回されて搬送方向に沿って張設された左右一対のエンドレスチェーン３，３と、これら一対のエンドレスチェーン３，３間に掛け渡されて取り付けられる多数の合成樹脂製の平プレート４，４…とを主要な構成要素とし、平プレート上に物品ａを載置してチェーンの搬送方向に搬送するものである。
【０００３】
エンドレスチェーン３，３はローラチェーンでなり、この各チェーン３，３には平プレート取付部材５，５…が側方に向けて突設されている。この平プレート取付部材５，５…はローラリンクプレート６，６…に一体形成されており、側方に折曲形成されている。そして、各平プレート４，４…はこれら取付部材５，５…を介してエンドレスチェーン３，３に取り付けられる。
【０００４】
平プレート４と平プレート取付部材５，５との結合構造としては、実用新案登録第２５８３６９７号に示されており、この取付構造では図６に示すように、平プレート取付部材５，５には貫通孔７が形成される一方、平プレート４にはその裏面両側部に上記貫通孔７に嵌合される軸部８と、軸部８に対して近接・離間する方向に弾性変形して上記取付部材５の縁部に係合する鈎溝を有する係合片９とが垂設されている。
【０００５】
平プレート４を上記取付部材５，５に取り付けるには、取付部材５，５の貫通孔７に平プレート４の軸部８を合わせて押入してやればよい。即ち、この押入により、平プレート４の係合片９は取付部材５，５の縁部に当接しつつ弾性変形して外方に傾斜し、その鈎溝に前記縁部が嵌合すると係合片９は弾性復帰して平プレート４に自動的に係合し、平プレート４を取付部材５，５に装着する。
【０００６】
また、平プレート４を取付部材５，５から取り外す際には、先ず、係合片９を外方へ強制的に弾性変形させつつ平プレート４を上方に引き上げ、この係合片９の鈎溝と平プレート取付部材５，５の縁部との係合を解除する。その後は平プレート４を持ち上げてその軸部８を取付部材５，５の貫通孔７から抜脱してやればよい。
【０００７】
【発明が解決しようとする課題】
しかしながら、この従来のプレート式フィードコンベアにおけるプレート取付構造では、取付部材５は一般的に金属製からなっており、その先端縁部が合成樹脂製の係合片９の鈎溝に係合することによって相互が係止されているため、チェーンの走行によりこの係合部に繰り返し振動が加えられると、この鈎溝は徐々に摩耗して両者の係合が緩くなり、プレートにガタ付きが生じるといった問題があった。
【０００８】
本発明は上記のような問題点に鑑みてなされたもので、その目的は平プレートをその取付部材に係合する取付作業を容易に行うことができ、取付後はチェーンの走行時の振動によってその係合部が摩耗する可能性が大幅に低減されてなるプレート式フィードコンベアにおけるプレート取付構造を提供するにある。
【０００９】
【課題を解決するための手段】
前記目的を達成するため、本発明では、平行に張設した一対のエンドレスチェーンに、その側方に向かって突出する平プレート取付部材を所定の間隔をあけて多数設け、該取付部材を介して多数の平プレートを該一対のチェーン間に掛け渡して取付けてなるプレート式フィードコンベアにおけるプレート取付構造において、該取付部材に貫通孔を形成する一方、該平プレートの裏面両側部に、該貫通孔に嵌合する軸部と、一端部が該軸部に対して近接・隔離する方向に弾性変形して揺動自在な自由端として形成されるとともに他端部が該平プレートの裏面に一体的に連結固定されて基部として形成される断面略Ｕ字形の可撓片とを設け、該自由端の先端と該平プレートの裏面との間は該取付部材の先端部の肉厚に相当する間隔だけ分離して形成し、該平プレートの該軸部を該取付部材の該貫通孔に挿通して取り付ける際に、該可撓片の該一端部の自由端が該取付部材の端部によって該軸部から隔離する方向に弾性変形されて該平プレートの挿入を許容し、該平プレートの挿入の完了と同時に該一端部の自由端が弾性復帰して該取付部材の前記先端部の裏面に当接または近接して該平プレートの離脱を阻止してなることを特徴とする。
【００１０】
【作用】
上記の構造により、平プレートをチェーンに固定された取付部材に取り付ける作業は従来と同様に取付部材の貫通孔７に平プレート４の軸部を合わせて押入してやればよい。そして、この取付後は可撓片の自由端の先端が取付部材の先端部の裏面に当接または近接して平プレートの離脱を阻止するので、チェーンの走行時の振動によって取付部材を介して可撓への自由端の先端部に加えられる摩擦抵抗によって生じる摩耗は極めて少なく、平プレートのチェーンに対する取付状態を長期間に渡って安定的に維持することができる。
【００１１】
【発明の実施の形態】
以下に、本発明に係るプレート式フィードコンベアにおけるプレート取付構造の好適な一実施例について、添付図面を参照して詳細に説明する。なお、図中従来例で示したものと同一部分については同一符号を付して説明する。
【００１２】
本発明は平プレート４を改良することによって、プレート取付構造を改善したもので、エンドレスチェーン３，このチェーン３に取り付けられる平プレート取付部材５，５の構造は前述した従来例と全く同一であるので、その詳細な説明を省略する。
【００１３】
図１（ａ）、（ｂ）に示す本発明の平プレート４は、例えば「デルリン」（米国Ｄｕｐｏｎ社の商品名）で知られるポリアセタール樹脂等の合成樹脂の射出成形によって形成され、その外形は、例えば図１（ａ），（ｂ）の場合、縦１４ｍｍで横１６０ｍｍの横長な長方形に形成されている。図１（ａ）における上面（表面）は平坦に形成されて、その下面（裏面）の両端近傍には円筒部８ａとテーパー部８ｂとからなる軸部８が下方に突出形成されている。この軸部８，８の内側にこれと隣接して可撓片１０，１０が一体的に設けられている。この各可撓片１０は図１（ａ）に示すように断面略Ｕ字形に形成され、このＵ字形の内側部の基部１１は平プレートの裏面に一体的に連結して形成されている一方、その外側部は平プレートの裏面から分離した自由端１２として形成されている。そして、この外側自由端１２の先端と平プレートの裏面との間の間隔は断面Ｌ字形に折り曲げ形成された金属板からなる平プレート取付部材５の先端部の肉厚と等しいか或いは僅かに大きく形成されている。なお、左右の可撓片１０，１０の間の平プレート４の中央部下面には平プレートの撓みを防止するためにリブ１３が下方に突出して一体的に形成されている。
【００１４】
上記のような構造に係る平プレート４をチェーン３に取り付けられた平プレート取付部材５に取り付けるには、平プレートの軸部８を取付部材５の上方に位置させ、その軸部８を取付部材５の貫通孔７に強制的に押し込む。このようにして押し込むと、まず、取付部材５の先端が可撓片１０の外側自由端１２に当接し、図２（ａ）に示すように、これを弾性変形させて内側に押しやりながら軸部８が貫通孔７に入って行く。そして、平プレート４の下面が取付部材５の上面に当接する位置まで来ると、図２（ｂ）に示すように、可撓片１０の外側自由端１２がもとの位置へ弾性復帰する。この時、前述のように、外側自由端１２の先端と平プレートの裏面との間の間隔は平プレート取付部材５の先端部５ａの肉厚と等しいか或いは僅かに大きく形成されているので、前記弾性復帰位置では外側自由端１２の先端が取付部材５の下面に当接または近接する。このようにして、取付部材５の先端部５ａは平プレート４の下面と可撓片１０の自由端１２の先端によって挾まれた形となるので、通常の使用状態において、平プレート４がその取付部材５から離脱することはない。
【００１５】
一方、この平プレート４をその取付部材５から取り外すには、図２（ｂ）の状態から指先或いは工具を用いて可撓片１０の外側自由端１２を内側に押し込みながら平プレートを図２（ａ）の状態に持ち上げ、その後はただこの平プレートを上方に引き上げてやればよい。
【００１６】
本発明の上記実施例では、チェーン３及び平プレート取付部材５，５が平プレートの外側に位置する場合の例について説明したが、本発明では、チェーン３が図３に示すように平プレート４の下方に位置する場合にも適用することができる。
【００１７】
この場合には、軸部８と可撓片１０の位置が前記実施例の場合と逆転し、可撓片１０が平プレート４の外側に位置し、軸部１０がその内側に位置し、また可撓片の自由端１２は基部１１の内側に向いている。その他の構造及び取り付け方法等は前記実施例の場合と同様である。
【００１８】
【発明の効果】
以上説明したように、本発明のプレート式フィードコンベアにおけるプレート取付構造においては、チェーンに固定された平プレート取付部材に貫通孔を形成し、平プレートの裏面両側部に、該貫通孔に嵌合する軸部と、一端部が該軸部に対して近接・隔離する方向に弾性変形して揺動自在な自由端として形成されるとともに、他端部が該平プレートの裏面に一体的に連結固定されて基部として形成される断面略Ｕ字形の可撓片とを設け、該自由端の先端と該平プレートの裏面との間は該取付部材の先端部の肉厚に相当する間隔だけ分離して形成し、該平プレートの該軸部を該取付部材の該貫通孔に挿通して取り付ける際に、該可撓片の該一端部の自由端が該取付部材の端部によって該軸部から隔離する方向に弾性変形されて該平プレートの挿入を許容し、該平プレートの挿入の完了と同時に該一端部の自由端が弾性復帰して該取付部材の前記先端部の裏面に当接または近接して該平プレートの離脱を阻止してなるので、取付部材の先端部は平プレートの裏面とＵ字形の可撓片の自由端側の先端とによって挾まれた形となるので、通常の使用状態において生じる振動によって可撓片の先端が摩耗することはほとんどないので、平プレートのチェーンに対する取付状態を長期間に渡って安定的に維持することができる。
【図面の簡単な説明】
【図１】本発明に係るプレート式フィードコンベアにおけるプレート取付構造の平プレートを示す図で、（ａ）はその正面図で（ｂ）はその底面図である。
【図２】図１に示した平プレートをチェーンに取り付けられた平プレート取付部材に取り付ける状態を示す要部正面図で、（ａ）はその取付の途中の状態を示し、（ｂ）は取付の完了状態を示す。
【図３】本発明の他の実施例に係る平プレート取付構造を示す要部正面図。
【図４】一般的なプレート式フィードコンベアを示す斜視図。
【図５】図３のプレート式フィードコンベアに従来のプレート取付構造を採用した状態の部分断面正面図。
【図６】図３の一方のプレート取付部分を拡大して示す部分断面図である。
【符号の説明】
３      エンドレスチェーン
４      平プレート
５      平プレート取付部材
５ａ    取付部材の先端部
７      貫通孔
８      軸部
１０    可撓片
１１    基部
１２    自由端
【図１】
0004210371.tif 000002
【図２】
0004210371.tif 000003
【図３】
0004210371.tif 000004
【図４】
0004210371.tif 000005
【図５】
0004210371.tif 000006
【図６】
0004210371.tif 000007